(57)【要約】【課題】外力を受けても破損し難く、両端部に照明機能を有し、警棒及び懐中電灯としても使用できる照明装置付き誘導棒を提供すること。【解決手段】光ファイバ２２が埋設された透明柱体２１をハンドル１０の前方に配置し、ハンドル１０内において、制御回路基板４１へ、透明柱体２１に臨んで設置した発光部材４３、後端部に収納した電池４９、ハンドル１０と接続した電源線４７、バネスイッチ４６を接続し、接続筒５２内に設置したランプ支持体５１の前面に設けた二つの接触点ａ，ｂを、ランプ支持体５１の後面に装着するランプ５６の電極５１２，５１３に接続し、それぞれ導電素材より成る接続筒５２をハンドル１０の後端部に螺合した時、二つの接触点ａ，ｂが電池４９及びバネスイッチ４６と電気的に接続され、接続筒５２と電池４９とが電気的に接続される。誘導棒１を起立状態で支持する三脚を設けても良い。【選択図】図３
0003123535.tif 000002
【実用新案登録請求の範囲】
【請求項１】
ハンドル、透明柱体、接続カバー、内部装置、及び、照明部を備え、前記ハンドルは、導電材を素材とした中空の筒体であり、前記透明柱体の内部には複数の光ファイバーが軸方向に沿って埋め込まれ、該透明柱体の後端部と前記ハンドルの前端部とが、外面に嵌合した筒状の前記接続カバーによって着脱可能に接続され、前記内部装置は、前記ハンドルの内部に収納されると共に、制御回路基板と、前端部に前記透明柱体に臨んで設置された発光部材と、後端部に設けられた電池収納槽と、前記ハンドルに接続された電源線と、バネスイッチとを有し、該電池収納槽内に収納された電池、前記発光部材、電源線及びバネスイッチが前記制御回路基板に電気的に接続され、前記照明部は、導電材を素材とする接続筒の内部にランプ支持体を設置すると共に、前記接続筒の後端部にランプカバーを螺合して成り、ランプ支持体の前面に設けた二つの接触点が、ランプ支持体の後面に装着するランプの電極にそれぞれ接続され、前記接続筒の前端部を前記ハンドルの後端部に螺合した時、前記二つの接触点がそれぞれ前記電池及びバネスイッチと電気的に接続されると共に、前記接続筒と電池とが電気的に接続され、それぞれ前記発光部材とランプのＯＮ／ＯＦＦを制御する二つのスイッチが前記制御回路基板に設置され、そのＯＮ／ＯＦＦ操作を行う二つの制御ボタンが前記ハンドルの外面に設けられていることを特徴とした照明装置付き誘導棒。
【請求項２】
前記照明部の外周において、前記接続筒とランプカバーの間に、環状の紐を装着したリングを嵌合してある請求項１に記載の照明装置付き誘導棒。
【請求項３】
前記透明柱体は、アクリル樹脂により中実に形成されている請求項１又は２に記載の照明装置付き誘導棒。
【請求項４】
前記透明柱体は、ＰＣ（ポリカーボネート）プラスチックを素材として、軸方向に沿って中心孔を設けた中空状に形成されている請求項１又は２に記載の照明装置付き誘導棒。
【請求項５】
前記請求項１〜４のいずれかに記載された誘導棒を起立状態で支持する三脚を設けた照明装置付き誘導棒。
【請求項６】
前記三脚は、前記誘導棒を挿通する軸孔が形成された座部、及び、３本の脚を備え、前記座部の外周の３個所に接続片を張り出すと共に、該接続片の下方に横軸を前記軸孔断面の接線方向に沿って架設し、前記脚の上端部にヘッド部材を装着し、該ヘッド部材に前記横軸と回動可能に嵌合する横孔を形成し、前記ヘッド部材の上面に、前記脚を一定角度まで開いた時、前記接続片の下面に重なる当接面と、前記接続片の先端に当たって該脚の回動を規制する位置決め突起とを設けた請求項５に記載の照明装置付き誘導棒。
【請求項７】
前記脚は、前記ヘッド部材と、該ヘッド部材の下部に設けられた透明棒と、該透明棒の下部に接続された中空の発光脚部とから成り、該発光脚部の内部に、前記透明棒と接近して発光部材を収納すると共に、その下方に発光部材の電源となる電池を収納し、前記発光脚部の下端部を取り外し可能なキャップとした請求項６に記載の照明装置付き誘導棒。
【請求項８】
前記三脚の２本の脚において、前記発光脚部の上端部に、軸方向に沿う開口部と、軸方向に対して傾斜した開口部とを分岐して設け、２本の脚の傾斜した開口部を対向するよう配置し、前記透明棒の下端部を軸方向に沿う開口部に挿入し、前記三脚の脚を開いた状態で、２本の脚の傾斜した開口部に他の透明棒の両端部を挿入して、２本の脚間に他の透明棒を架設した請求項７に記載の照明装置付き誘導棒。
【請求項９】
外面に光反射シート又は光反射塗料が設けられた横棒の両端にそれぞれ嵌合ヘッドを装着し、前記三脚の脚を開いた状態で、２本の脚の外周に前記嵌合ヘッドを嵌合して、これら２本の脚間に前記横棒を架設した請求項７に記載の照明装置付き誘導棒。
【考案の詳細な説明】
【技術分野】
【０００１】
本考案は、警棒、懐中電灯等としても使用することができる照明装置付き誘導棒に関する。
【背景技術】
【０００２】
警官、警備員、工事作業員などが交通誘導をする際には誘導棒を用いるのが一般的であり、特に夜間の視界が悪い場合には誘導棒が欠かせない。
通常の誘導棒は、中空の透光管内に複数の発光部材が設けられており、光の警告効果を発揮できるものの、消費電力が大きくて頻繁に電離を交換する必要があるばかりか、ＬＥＤや電球の数が多いため、破損する可能性が高い。
また、透光管は、薄い透光材質の殻体から成り、衝撃に耐えることができないので、誘導棒を警棒として使用するのは不可能である。
さらに、内部に発光部材を収納してあるため、懐中電灯のように書類等を照らして確認するには不向きであった。
【考案の開示】
【考案が解決しようとする課題】
【０００３】
本考案が解決しようとする課題は、外力を受けても破損し難く、両端部に照明機能を有するため、警棒及び懐中電灯としても使用できる照明装置付き誘導棒を提供することにある。
【課題を解決するための手段】
【０００４】
本考案の照明装置付き誘導棒は、ハンドル、透明柱体、接続カバー、内部装置、及び、照明部を備え、前記ハンドルは、導電材を素材とした中空の筒体であり、前記透明柱体の内部に複数の光ファイバーが軸方向に沿って埋め込まれ、該透明柱体の後端部と前記ハンドルの前端部とが、外面に嵌合した筒状の前記接続カバーによって着脱可能に接続され、前記内部装置は、前記ハンドルの内部に収納されると共に、制御回路基板と、前端部に前記透明柱体に臨んで設置された発光部材と、後端部に設けられた電池収納槽と、前記ハンドルに接続された電源線と、バネスイッチとを有し、該電池収納槽内に収納された電池、前記発光部材、電源線及びバネスイッチが前記制御回路基板に電気的に接続され、前記照明部は、導電材を素材とする接続筒の内部にランプ支持体を設置すると共に、前記接続筒の後端部にランプカバーを螺合して成り、ランプ支持体の前面に設けた二つの接触点が、ランプ支持体の後面に装着するランプの電極にそれぞれ接続され、前記接続筒の前端部を前記ハンドルの後端部に螺合した時、前記二つの接触点が前記バネスイッチ及び電池と電気的に接続されると共に、前記接続筒と電池とが電気的に接続され、それぞれ前記発光部材とランプのＯＮ／ＯＦＦを制御する二つのスイッチが前記制御回路基板に設置され、そのＯＮ／ＯＦＦ操作を行う二つの制御ボタンが前記ハンドルの外面に設けられている。
【０００５】
以下の構成を採用しても良い。
前記照明部の外周において、前記接続筒とランプカバーの間に、環状の紐を装着したリングを嵌合した構成。
前記透明柱体を、アクリル樹脂により中実に形成した構成。
前記透明柱体を、ＰＣ（ポリカーボネート）プラスチックを素材として、軸方向に沿って中心孔を設けた中空状に形成した構成。
【０００６】
誘導棒を起立状態で支持する三脚を設けた構成。
この場合、前記三脚が、前記誘導棒を挿通する軸孔が形成された座部、及び、３本の脚を備え、前記座部の外周の３個所に接続片を張り出すと共に、該接続片の下方に横軸を前記軸孔断面の接線方向に沿って架設し、前記脚の上端部にヘッド部材を装着し、該ヘッド部材に前記横軸と回動可能に嵌合する横孔を形成し、前記ヘッド部材の上面に、前記脚を一定角度まで開いた時、前記接続片の下面に重なる当接面と、前記接続片の先端に当たって該脚の回動を規制する位置決め突起とを設けた構成。
【０００７】
前記脚が、前記ヘッド部材と、該ヘッド部材の下部に設けられた透明棒と、該透明棒の下部に接続された中空の発光脚部とから成り、該発光脚部の内部に、前記透明棒と接近して発光部材を収納すると共に、その下方に発光部材の電源となる電池を収納し、前記発光脚部の下端部を取り外し可能なキャップとした構成。
前記三脚の２本の脚において、前記発光脚部の上端部に、軸方向に沿う開口部と、軸方向に対して傾斜した開口部とを分岐して設け、２本の脚の傾斜した開口部を対向するよう配置し、前記透明棒の下端部を軸方向に沿う開口部に挿入し、前記三脚の脚を開いた状態で、２本の脚の傾斜した開口部に他の透明棒の両端部を挿入して、２本の脚間に他の透明棒を架設した構成。
外面に光反射シート又は光反射塗料が設けられた横棒の両端にそれぞれ嵌合ヘッドを装着し、前記三脚の脚を開いた状態で、２本の脚の外周に前記嵌合ヘッドを嵌合して、これら２本の脚間に前記横棒を架設した構成。
【考案の効果】
【０００８】
本考案によれば、前端部に設けた透明柱体が発光して誘導機能を発揮するだけでなく、後端部に設けた照明部が発光するので、懐中電灯としても利用できる。
また、透明柱体の内部に光ファイバーを埋め込んであり、発光部材から導光することによって発光するので、外力を受けても破損し難く、このため、警棒としても使用することが可能である。
三脚によって支持すれば、緊急時の警告灯としても利用できる。
【考案を実施するための最良の形態】
【０００９】
照明装置付き誘導棒は、ハンドル、透明柱体、接続カバー、内部装置、及び、照明部を備える。
ハンドルは、導電材を素材とした中空の筒体であり、その内部に内部装置が収納される。透明柱体の内部には複数の光ファイバーが軸方向に沿って埋め込まれている。透明柱体の後端部とハンドルの前端部とが、外面に嵌合した筒状の接続カバーによって着脱可能に接続される。
【００１０】
内部装置は、制御回路基板と、前端部に前記透明柱体に臨んで設置された発光部材と、後端部に設けられた電池収納槽と、ハンドルに接続された電源線と、バネスイッチとを有する。また、電池収納槽内に収納された電池、発光部材、電源線及びバネスイッチが制御回路基板と電気的に接続されている。
照明部は、導電材を素材とする接続筒の内部にランプ支持体を設置すると共に、前記接続筒の後端部にランプカバーを螺合して成る。ランプ支持体の前面に設けた二つの接触点が、ランプ支持体の後面に装着するランプの電極にそれぞれ接続されている。
【００１１】
接続筒の前端部をハンドルの後端部に螺合した時、二つの接触点が電池及びバネスイッチと電気的に接続されると共に、接続筒と電池とが電気的に接続される。
また、それぞれ発光部材とランプのＯＮ／ＯＦＦを制御する二つのスイッチが制御回路基板に設置され、これらスイッチのＯＮ／ＯＦＦ操作を行う二つの制御ボタンがハンドルの外面に設けられている。
一方の制御ボタンを操作して内部装置の前端部に設置した発光部材を点灯すると、発光部材を光源として光ファイバーにより導光され、透明柱体が全長に亘って発光する。
他方の制御ボタンを操作してランプを点灯すると、後端部に設けられた照明部が発光する。
以下、本考案の実施例を図面に基づいて詳細に説明する。
【実施例１】
【００１２】
図１〜図６は本考案の実施例１を示す。
図１〜図４に示すように、本考案の誘導棒１は、ハンドル１０、導光部２０、接続カバー３０、内部装置４０及び照明部５０を備える。
ハンドル１０は、導電材を素材とした中空の筒体であり、その内部の収容空間１１に内部装置４０が設置される。また、ハンドル１０の側面に二つの孔１２が形成され、これらの孔１２には、それぞれ後述する発光部材４３及びランプ５６のＯＮ／ＯＦＦ操作を行う制御ボタン１３が設置されている。
さらに、ハンドル１０の両端部外面には雄ネジ部１４，１５が設けられる。前端部の雄ネジ部１４と平滑部分との境界部には環状溝１６が形成され、この環状溝１６に防水パッキン１７が係合される。
【００１３】
導光部２０は、アクリル樹脂等を素材とする中実の透明柱体２１を有する。透明柱体２１の内部には複数本の光ファイバ２２が軸方向に沿って埋め込まれ、透明柱体２１の後端部外面には筒状体２３が嵌合されている。
筒状体２３の前端面には、透明柱体２１の外周を取り巻くＯリング２４が当接し、筒状体の後端部外周には別のＯリング２４が嵌合されている。
接続カバー３０は、両端が開口した通孔３１を内部に有する筒体より成り、その後端部の内面にハンドル１０の雄ネジ部１４と螺合する雌ネジ部３２（図３参照）が形成されている。
【００１４】
内部装置４０は、筒状のカバー４０’を有し、カバー４０’の内部に設置された制御回路基板４１上に、後述する発光部材４３とランプ５６のＯＮ／ＯＦＦを制御する二つのスイッチ４２が搭載されている。
カバー４０’の前端部にはＬＥＤランプ等の発光部材４３が設置され、カバー４０’の後端部は電池収納槽４４となっている。電池収納槽４４の底には導電バネ４５が設けられ、この導電バネ４５と発光部材４３が制御回路基板４１と電気的に接続されている。
【００１５】
また、電池収納槽４４には導電性を有する電池座体４８が設置され、この電池座体４８内に収納された電池４９は、導電バネ４５を介して制御回路基板４１に電力を供給するようになっている。
カバー４０’の側面両側にはそれぞれ軸方向に沿ってスリット４０１，４０２が形成される。一方のスリット４０１にはバネスイッチ４６が配置されると共に、他方のスリット４０２には電源線４７が配設され、これらバネスイッチ４６及び電源線４７の一端は制御回路基板４１と接続されている。
【００１６】
照明部５０は、ランプ支持体５１、接続筒５２、リング５３、透明蓋５４およびランプカバー５５を備える。
ランプ支持体５１は、導電材を素材とする接続筒５２内に設置され、その後面にはＬＥＤランプ等のランプ５６を装着できるようになっている。ランプ支持体５１の前端には導通板５１１が配設され、導通板５１１の前面には二つの接触点ａ，ｂが設けられる。接触点ａと第１電極５１２が接続されると共に、接触点ｂと第２電極５１３が接続されている。また、第１電極５１２及び第２電極５１３にはランプ５６が接続され、第１電極５１２は接続筒５２と接続されている。
【００１７】
接続筒５２の前端部内面には、ハンドル１０の後端部の雄ネジ部１５と螺合する雌ネジ部５２２が形成され、接続筒５２の後端部外面には雄ネジ部５２１が形成される。
リング５３は、接続筒５２の外面において、雄ネジ部５２１の前端に嵌合される。リング５３の外側には突出部５３１が設けられ、突出部５３１を前後方向に貫通する穿通孔５３２が形成される。
透明蓋５４は、筒状のランプカバー５５の内部にその後端面を塞ぐよう収納される。
ランプカバー５５の内面には接続筒５２の雄ネジ部５２１と螺合する雌ネジ部５５１が形成されている。
【００１８】
この誘導棒１を組み立てるには、内部装置４０を、そのスイッチ４２とハンドル１０の制御ボタン１３とを対応させて収容空間１１内に収納し、電源線４７とハンドル１０とを接続すると共に、バネスイッチ４６をハンドル１０の後端面から突出させる。
また、導光部２０の透明柱体２１の後端部外面に筒状体２３を密着させ、導光部２０の後端部を接続カバー３０の通孔３１内に前方から挿入する。そして、筒状体２３をＯリング２４を介して接続カバー３０の内面に嵌合すると共に、接続カバー３０の雌ネジ部３２をハンドル１０の雄ネジ部１４と螺合し、ハンドル１０と導光部２０とを接続カバー３０によって接続する。
【００１９】
さらに、図５に示すように、接続筒５２の雌ネジ部５２２をハンドル１０の後端部に形成した雄ネジ部１５に螺合して、それぞれ導電材を素材とする接続筒５２とハンドル１０とを接続し、導通板５１１の接触点ａと電池座体４８の後端面に設けた中央突起ｃとを接続すると共に、接触点ｂとバネスイッチ４６とを接続する。
すると、電池４９を電源とし、電池座体４８、第１電極５１２、接続筒５２、ハンドル１０、電源線４７、回路基板４１（及び、回路基板４１に搭載された発光部材４３と一方の制御ボタン１３）、導電バネ４５を経由する回路と、電池座体４８、第１電極５１２、ランプ５６、第２電極５１３、バネスイッチ４６、回路基板４１（および、回路基板に搭載された他方の制御ボタン１３）、導電バネ４５を経由する回路が形成される。
【００２０】
従って、一方の制御ボタン１３を操作することにより発光部材４３が点灯し、この発光部材４３を光源として、図６に示すように、誘導棒１の前半部に設置された導光部２０の透明柱体２１が全長に亘り発光する。
また、他方のボタン１３を操作すると、誘導棒１の後端に設置されたランプ５６が点灯し、懐中電灯として利用できる。
なお、図２及び図６に示すように、リング５３の穿通孔５３２に環状の紐５３３を通し、この紐５３３を使用者の腕にかけることで、誘導棒１を警棒として用いる際に落下するのを防ぐことができる。
【実施例２】
【００２１】
図７〜図１１は、実施例２を示す。
本実施例では、誘導棒１に三脚２を組み合わせてある。
三脚２は、図７に示すように、上下方向に貫通する軸孔６１が形成された筒状の座部６０と、三本の脚７０とを有する。
座部６０の周縁の３箇所には等間隔で接続片６２が張り出し、接続片６２の下方にそれぞれ断面円形の横軸６３が、軸孔６１の断面の接線方向に沿って架設されている。
【００２２】
図１１に示すように、脚７０は、ヘッド部材７１と、上端をヘッド部材７１へ挿入した透明棒７５と、透明棒７５の下端に嵌合した中空の発光脚部７６とを備える。
図８及び図９に示すように、ヘッド部材７１の上部には、横軸６３と回動自在に係合する断面円形の横孔７２が形成される。
また、ヘッド部材７１の上端面は、脚７０を外方へ開いた時、接続片６２の下面に重なって開いた状態で安定させる当接面７３となっている。
さらに、当接面７３の外方に連続して位置決め突起７４が形成され、図９に示すように、脚７０を一定角度まで開くと、位置決め突起７４が接続片６２の先端に当たって脚７０の回動を規制するようになっている。
【００２３】
透明棒７５は、透明プラスチックを素材とし、その下端が径小となっている。また、この径小部分とこれより上方の段差部外周に防水Ｏリング７７が嵌合されている。
発光脚部７６の上端部内周には、透明棒７５の段差部を受ける段差挿入部７６１が形成されている。また、発光脚部７６の下端部は、ネジ止めによって取り付けられたキャップ７６５となっている。
発光脚部７６の内部には、ＬＥＤランプ等の発光部材７６２、導電片７６３、電池７６４が収納され、発光部材７６２は透明棒７５に接近して最も上方に配置されている。
【００２４】
また、導電片７６３は、発光部材７６２の電極と電池７６４の電極との間に介在され、キャップ７６５を強くねじ込むと、導電片７６３が発光部材７６２と電池７６４とを電気的に接続し、キャップ７６５を緩めると、この接続が遮断されるようになっている。
そして、発光部材７６２が点灯すると、その上方に近接して装着された透明棒７５が発光するようになっている。
図１１に示すように、脚７０を広げて設置した三脚２の座部６０に誘導棒１を挿通し、脚７０の発光部材７６２及び誘導棒１の発光部材４３を点灯すると、脚７０の透明棒７５と誘導棒１の導光部２０が発光して、車両故障時等に非常に効果的な警告灯となる。
【実施例３】
【００２５】
図１２は、本考案の実施例３を示す。
導光部２０は、ＰＣプラスチック等の耐衝撃性に富んだ素材より成り、厚手の壁面を有する中空の透明柱体２５を備える。
透明柱体２５の分厚い壁面には複数の光ファイバ２２を軸方向に沿って埋め込み、透明柱体２５の中心孔の先端に形成した凹部２６に栓２７をはめ込んで、雨水の流入を防止している。
その他の構成及び使用方法は、実施例１又は実施例２と同様である。
【実施例４】
【００２６】
図１３及び図１４は、実施例４を示す。
三脚２を使用する際、開いた３本の脚７０の内、２本の脚７０の間に透明棒７５ａを架設するようになっている。これら２本の脚７０においては、発光脚部７６の上端部が２方向に分岐してそれぞれ開口部が形成され、各開口部に透明棒７５及び他の透明棒７５ａを挿入できるようになっている。透明棒７５を挿入する開口部は、発光脚部７６の軸方向に沿って延長され、他の透明棒７５ａを挿入する開口部はこの軸に対して傾斜している。
また、各開口部の内部は、透明棒７５，７５ａの端部に形成された段差部を受ける段差挿入部７６１，７６６となっており、段差挿入部７６１，７６６に臨んだ位置にそれぞれ発光部材７６２，７６７が設置されている。
【００２７】
これら２本の脚７０は、傾斜した段差挿入部７６６どうしが対向するよう配置され、傾斜した段差挿入部７６６に挿入される透明棒７５ａは、その両端部に径小部が径背されると共に、防水Ｏリング７７が装着されている。
他の１本の脚７０は、実施例２と同様の構造を有する。
三脚２を使用せず脚７０を閉じた状態では、透明棒７５ａを取り外してある。三脚２を使用する際には、脚７０を開いてから、対向する段差挿入部７６６に透明棒７５ａの両端部をそれぞれ挿入して、２本の脚７０の間に透明棒７５ａを架設する。
これにより、三脚２の特定方向に発光する三角形のフレームを形成することができ、警告灯としての効果が更に高まる。
【実施例５】
【００２８】
図１５及び図１６は、実施例５を示す。
三脚２を構成する３本の脚７０は実施例２と同様の構造を有し、三脚２を使用する際に、２本の脚７０間に横棒７５ｂを架設するようになっている。
横棒７５ｂの両端部には、脚７０の透明棒７５の外周に嵌合する嵌合ヘッド７５ｃが装着され、横棒７５ｂの外面には、光反射シートを装着するか、或いは、光反射塗料を塗布してある。
その他の構成は、実施例４と同様である。
この三脚２を使用する場合は、脚７０を開き、横棒７５ｂの両端に設けた嵌合ヘッド７５ｃを２本の脚７０の透明棒７５に嵌合し、２本の脚７０間に横棒７５ｂを架設する。横棒７５ｂは車両のライトで照らされると光を反射するので、三脚２の特定方向に光を発する三角形のフレームが形成される。
【図面の簡単な説明】
【００２９】
【図１】実施例１を示す照明装置付き誘導棒の分解斜視図。
【図２】実施例１を示す照明装置付き誘導棒の斜視図。
【図３】実施例１を示す照明装置付き誘導棒の縦断面図。
【図４】実施例１に係る透明柱体の横断面図。
【図５】実施例１を示す照明装置付き誘導棒の要部分解斜視図。
【図６】実施例１を示す照明装置付き誘導棒の使用状態斜視図。
【図７】実施例２に係る三脚の要部斜視図。
【図８】実施例２に係る三脚の脚を閉じた状態における要部斜視図。
【図９】実施例２に係る三脚の脚を開いた状態における要部斜視図。
【図１０】実施例２に係る三脚の要部断面図。
【図１１】実施例２を示す照明装置付き誘導棒の使用状態における斜視図。
【図１２】実施例３に係る導光部の一部破断側面図。
【図１３】実施例４に係る三脚の要部断面図。
【図１４】実施例４を示す照明装置付き誘導棒の使用状態における斜視図。
【図１５】実施例５に係る三脚の要部断面図。
【図１６】実施例５を示す照明装置付き誘導棒の使用状態における斜視図。
【符号の説明】
【００３０】
ａ，ｂ  接触点
ｃ  中央突起
１  誘導棒
２  三脚
１０  ハンドル
１１  収容空間
１２  孔
１３  制御ボタン
１４，１５  雄ネジ部
１６  環状溝
１７  防水パッキン
２０  導光部
２１  中実の透明柱体
２２  光ファイバ
２３  筒状体
２４  Ｏリング
２５  中空の透明柱体
２６  凹部
２７  栓
３０  接続カバー
３１  通孔
３２  雌ネジ部
４０  内部装置
４０’  カバー
４０１，４０２  スリット
４１  制御回路基板
４２  スイッチ
４３  発光部材
４４  電池収納槽
４５  導電バネ
４６  バネスイッチ
４７  電源線
４８  電池座体
４９  電池
５０  照明部
５１  ランプ支持体
５１１  導通板
５１２  第１電極
５１３  第２電極
５２  接続筒
５２１  雄ネジ部
５２２  雌ネジ部
５３  リング
５３１  突出部
５３２  穿通孔
５４  透明蓋
５５  ランプカバー
５５１  雌ネジ部
５６  ランプ
６０  座部
６１  軸孔
６２  接続片
６３  横軸
７０  脚
７１  ヘッド部材
７２  横孔
７３  当接面
７４  位置決め突起
７５，７５ａ  透明棒
７５ｂ  横棒
７５ｃ  嵌合ヘッド
７６  発光脚部
７６１，７６６  段差挿入部
７６２，７６７  発光部材
７６３  導電片
７６４  電池
７６５  キャップ
７７  防水Ｏリング
【図１】
0003123535.tif 000003
【図２】
0003123535.tif 000004
【図３】
0003123535.tif 000005
【図４】
0003123535.tif 000006
【図５】
0003123535.tif 000007
【図６】
0003123535.tif 000008
【図７】
0003123535.tif 000009
【図８】
0003123535.tif 000010
【図９】
0003123535.tif 000011
【図１０】
0003123535.tif 000012
【図１１】
0003123535.tif 000013
【図１２】
0003123535.tif 000014
【図１３】
0003123535.tif 000015
【図１４】
0003123535.tif 000016
【図１５】
0003123535.tif 000017
【図１６】
0003123535.tif 000018